(57)【要約】  【課題】  ペットサークルで寝床を設置して犬を飼う場合に、寝床の入口が犬に噛まれることを防止することを課題とする。  【解決手段】  寝床付きペットサークルとして、柵により一定範囲を囲い、想定される犬が通ることができる大きさの穴である連通穴を側面に有するサークル本体と、側面に入口となる穴である入口穴を有する箱状体により形成され、一端側が前記入口穴の縁部とほぼ合致し、他方側が前記連通穴の縁部とほぼ合致する、所定以上の長さを有する筒体により前記入口穴と前記連通穴とが連結される寝床部とを有する。【選択図】  図１
2007020532.tif 000002
【特許請求の範囲】
【請求項１】
柵により一定範囲を囲い、想定される犬が通ることができる大きさの穴である連通穴を側面に有するサークル本体と、
側面に入口となる穴である入口穴を有する箱状体により形成され、一端側が前記入口穴の縁部とほぼ合致し、他方側が前記連通穴の縁部とほぼ合致する、所定以上の長さを有する筒体により前記入口穴と前記連通穴とが連結される寝床部と
を有する寝床付きペットサークル。
【請求項２】
前記寝床部は、前記サークル本体と着脱可能に形成される請求項１に記載の寝床付きペットサークル。
【発明の詳細な説明】
【技術分野】
【０００１】
本発明は寝床が設けられたペットサークルに関する。
【背景技術】
【０００２】
室内で犬を飼う場合、ペットサークルが広く用いられている。ペットサークルで犬を飼う際には、多くの場合、ペットサークル内に寝床となる入口のついた箱状物が置かれる。また、犬小屋の入口面側にペットサークルを一体に形成した商品なども販売されている。
【発明の開示】
【発明が解決しようとする課題】
【０００３】
ところで、犬は突出した部分を噛むことが多く、ペットサークル内に箱状物を置くと入口部分の縁を噛んで破壊したり、破片を飲み込んでしまうという問題が生じる。これは、犬小屋とペットサークルが一体に形成されたものでも同様である。
そこで、このような問題に鑑み、本発明はペットサークルで寝床を設置して犬を飼う場合に、寝床の入口が犬に噛まれることを防止することを課題とする。
【課題を解決するための手段】
【０００４】
上記課題を解決するために、本発明は次のような構成を有する。
請求項１に記載の発明は、柵により一定範囲を囲い、想定される犬が通ることができる大きさの穴である連通穴を側面に有するサークル本体と、側面に入口となる穴である入口穴を有する箱状体により形成され、一端側が前記入口穴の縁部とほぼ合致し、他方側が前記連通穴の縁部とほぼ合致する、所定以上の長さを有する筒体により前記入口穴と前記連通穴とが連結される寝床部とを有する寝床付きペットサークルである。なお、前記筒体の「所定以上の長さ」は想定される犬が噛めないようにできる長さが想定され、連通穴および入口穴の大きさと、想定される犬の種類に応じて定められる。また、入口穴が寝床部をとなる箱状体の断面により形成される場合、入口穴の位置および筒体の範囲が不明瞭となるが、このような場合でも、入口穴と筒体を適宜想定することができるので、本請求項にはこのような場合も含まれるものとする。
請求項２に記載の発明は、前記寝床付きペットサークルにおいて、前記寝床部は、前記サークル本体と着脱可能に形成されるものである。
【発明の効果】
【０００５】
請求項１に記載の発明は、筒体の前記連結穴と連結する端部は、連結穴の縁部とほぼ合致するので犬はサークル本体内部から筒体の端部を噛むことはできず、また、筒体を所定以上の長さとすることで、筒体全体を噛むことを避けることができるので、寝床部の入口近傍がサークル本体内の噛まれることを防ぐことができる。
請求項２に記載の発明は、必要に応じて寝床部を取り外して寝床部の清掃等を適宜行うことができる。
【発明を実施するための最良の形態】
【０００６】
以下、本発明の実施形態について、図面を参照しながら説明する。
図１に本実施形態に係る寝床付きペットサークルＸの斜視図を示す。本寝床付き付きペットサークルＸは、サークル本体１０と、寝床部２０と、トレー３０とから構成される。図２に寝床部２０を分離した状態を示す寝床付きペットサークルＸの一部分解斜視図を示す。
サークル本体１０は、合成樹脂がコーティングされたスチール製の金網により形成される柵であり、上面と下面とが開放した直方体の箱状に形成される。そして一面の柵の下方に金網を構成する針金が切断され開放された穴である連結穴１１が形成されている。連結穴１１の上縁には、金網を構成する縦方向の針金を３本、フック状に上方に折り曲げた寝床部係合部１１ａが形成され、連結穴１１の下縁にも金網を構成する縦方向の針金を３本、下方に折り曲げた当接部１１ｂが形成されている。寝床係合部１１ａと当接部１１ｂの形状はほぼ同じであるが、寝床係合部１１ａの方がより外面へ突出している。
トレー３０は合成樹脂により形成される長方形状の板体であり、トレー３０の外縁部には全周に渡って、中央部よりも高くなった堤部３１が形成される。この堤部３１により囲まれる凹部３２の大きさは前記サークル本体１０の外形よりもやや大きな長方形状に形成され、前記サークル本体１０はこの凹部３２の上に載置される。なお、使用に際しては、吸水体を内部に内包するシートから構成される市販のペットシートと金網がこの凹部３２内に敷かれる。トイレシーツの上に金網を敷くことにより トレー及びトイレシーツを噛むことができなくなり、犬が器物を噛んだり破損することを防止するシステムとしてより効果をもたらす。
【０００７】
寝床部２０は、やや長細い直方体状の合成樹脂性の箱体であり、一側面に入口となる穴である入口穴２１が形成されている。入口穴２１には、角筒状の筒体２２が突出するよう一体に形成されている。筒体２２の一端側は入口穴２１の外縁と一体となっており、他端側はサークル本体１０の連結穴１１の大きさにほぼ合致している。そして、筒体２２の上面には前記寝床係合部１１ａを構成する針金が係合する被係合穴２２ａが３つ形成されている。また、寝床部２０の長方形状の２側面には細長い窓部２３が形成されている。図３に一の被係合穴２２ａの中央位置で寝床付きペットサークルＸを切断した縦端面図を示す。図に示すように、寝床係合部１１ａと被係合穴２２ａとを係合させることにより、寝床部２０をトレー３０上に載置したサークル本体１０と連結すると、寝床部２０の底面は床に接し、また、筒体２２の開放端の下縁はサークル本体１０の当接部１１ｂに当接するようになっている。そして、筒体２２と寝床係合部１１ａおよび筒体２２と当接部１１ｂとを合わせた長さはサークル本体Ｘに入れることが想定される犬が噛むことができないように十分な距離が設けられている。
【０００８】
次に、以上のような構成を有する寝床付きペットサークルＸの使用方法について説明する。通常は、図１に示すように、トレー３０の凹部３２に市販のペットシートを敷き詰め、この上に金網を載置し、さらに、この上にサークル本体１０を載置した後に、サークル本体１０の寝床部係合部１１ａと寝床部２０の被係合穴２２ａとを係合させて寝床部２０とサークル本体１０を連結した状態として使用する。なお、寝床部２０内には毛布などの敷物を入れておく。この状態にしてからペットとなる犬をサークル本体１０内へ放す。この状態において、寝床部２０の筒体２２の開口縁は、連結穴２１の縁部により遮られて、犬は噛むことができず、また、筒体２２と寝床係合部１１ａおよび筒体２２と当接部１１ｂとを合わせた長さが十分にあることから、犬は筒部２２全体を噛むこともできない。従って、寝床部２０の入口が破壊されることもなく、また、犬が噛んでちぎれた破片を飲み込むこともない。
寝床部２０を清掃等する場合は、サークル本体１０の寝床部係合部１１ａから寝床部２０の被係合穴２２ａを上方へ移動させることで両者の係合を解いて、図２に示すように寝床部２０を分離することができる。
【０００９】
なお、上記実施形態では、サークル本体の連結穴１１と寝床部２０の筒体２２との連結を針金と穴により行っているが、連結穴１１に枠体を設けて筒体２２の外周に嵌合させるようにしたり、専用の係合金具を互いに設けることで係合させる等、種々の方法により連結をすることが可能である。
また、寝床部に、取っ手や肩紐を取り付けるか、もしくは、これらを着脱できるようにし、筒体の開口部に蓋を設けることで、寝床部をキャリーボックスとして使用することもできる。
【図面の簡単な説明】
【００１０】
【図１】実施形態に係る寝床付きペットサークルＸの斜視図である。
【図２】実施形態に係る寝床部を分離した状態を示す寝床付きペットサークルの一部分解斜視図である。
【図３】一の被係合穴の中央位置で寝床付きペットサークルを切断した縦端面図である。
【符号の説明】
【００１１】
Ｘ      寝床付きペットサークル
１０    サークル本体
１１    連結穴
１１ａ  寝床係合部
２０    寝床部
２１    入口穴
２２    筒部
２２ａ  被係合穴
３０    トレー
【図１】
2007020532.tif 000003
【図２】
2007020532.tif 000004
【図３】
2007020532.tif 000005